(57)【要約】【課題】記憶手段への書き込み回数を少なくすることが出来、記憶手段の書き込み寿命が短くなるのを抑制することが出来るので、正確な情報を読み出すことが出来、給電復帰後の誤動作が抑制される食器洗浄機を提供する。【解決手段】制御手段は、不揮発性メモリに記憶された給水工程の工程番号Ｍを読み出し（ステップＳ１）、Ｍが０であるか否かを判定する（ステップＳ２）。Ｍが０であると判定した場合、節電状態へ移行し（ステップＳ４）、主電源がオンであり、開始の指示を取得したと判定した場合、Ｎを１として（ステップＳ７）、第Ｎ工程を実行する（ステップＳ８）。Ｍが０でないと判定した場合、工程番号Ｍ−１を工程番号Ｎとし（ステップＳ３）、第Ｎ工程を実行する（ステップＳ８）。【選択図】図５
2007301096.tif 000002
【特許請求の範囲】
【請求項１】
給電されて、洗浄槽内へ給水する給水工程、給水された水を前記洗浄槽内の食器に噴射する工程、及び前記洗浄槽内の水を外部へ排出する排水工程を含む工程の実行を制御し、給電が停止した後、復帰した場合に、記憶手段に記憶された情報に基づき、再開すべき再開工程以降の工程を実行するか否かを判定して、前記工程を実行すると判定したときに、該工程を実行する制御手段を備える食器洗浄機において、
前記記憶手段は、所定の工程が実行された場合に、該工程を特定するための情報を記憶し、
前記制御手段は、
給電が停止した後、復帰した場合に、前記記憶手段に記憶された前記情報を読み出す手段と、
読み出した情報により前記再開工程以降の工程を実行すると判定した場合に、前記情報に基づき、前記再開工程を決定する決定手段と、
該決定手段により決定された再開工程を開始する開始手段と
を備えることを特徴とする食器洗浄機。
【請求項２】
前記開始手段により前記再開工程を開始する前に、開始の指示の取得を待つ待機状態を保持する待機保持手段を備え、
前記開始手段は、開始の指示を取得した場合に再開工程を開始する請求項１に記載の食器洗浄機。
【請求項３】
前記制御手段は、
タイマーと、
前記待機保持手段に移行した場合に、前記タイマーによる計時を開始する手段と
を備え、
前記開始手段は、前記タイマーが所定時間、計時した場合に、前記再開工程を開始する請求項２に記載の食器洗浄機。
【請求項４】
給電が復帰した場合に、前記再開工程を開始するか、前記待機状態を保持するかを指定する情報が、予め記憶されるように構成されており、
前記制御手段は、
記憶された前記情報を読み出す手段と、
読み出した情報により、前記待機状態を保持すると指定された場合に、該待機状態に移行する手段と
を備え、
前記開始手段は、読み出した情報により、前記再開工程を開始すると指定された場合に、前記再開工程を開始する請求項２又は３に記載の食器洗浄機。
【請求項５】
前記所定の工程は給水工程であり、
前記決定手段は、読み出した情報に係る給水工程の直前の排水工程を前記再開工程として決定する請求項１乃至４のいずれかに記載の食器洗浄機。
【請求項６】
給電が復帰した場合に、給水工程及び排水工程のうちのいずれの工程を設定するかを指定する情報が、予め記憶されるように構成されており、
前記制御手段は、
記憶された前記情報を読み出す手段を備え、
前記決定手段は、前記情報により指定された給水工程又は排水工程につき、前記記憶手段から読み出した情報に関連付けて、前記再開工程を決定する請求項１乃至４のいずれか１つに記載の食器洗浄機。
【請求項７】
前記所定の工程は給水工程であり、
前記決定手段は、
読み出した情報により、給水工程を設定すると指定された場合に、前記記憶手段から読み出した情報に係る給水工程を前記再開工程として決定し、
読み出した情報により、排水工程を設定すると指定された場合に、前記記憶手段から読み出した情報に係る給水工程の直前の排水工程を前記再開工程として決定する請求項６に記載の食器洗浄機。
【請求項８】
前記洗浄槽内の水の水位を検出する水位検出部を備え、
前記制御手段は、
前記水位検出部から水位の検出値を取得する手段と、
取得した前記検出値が設定値以上であるか否かを判定する第１判定手段と
を備え、
前記決定手段は、
前記第１判定手段により前記検出値が設定値未満であると判定された場合に、前記記憶手段から読み出した情報に関連付けて排水工程を前記再開工程として決定し、
前記第１判定手段により前記検出値が設定値以上であると判定された場合に、前記記憶手段から読み出した情報に関連付けて給水工程を前記再開工程として決定する請求項１乃至４のいずれか１つに記載の食器洗浄機。
【請求項９】
前記洗浄槽内の水の水温を検出する水温検出部を備え、
前記制御手段は、
前記水温検出部から水温の検出値を取得する手段と、
前記第１判定手段により前記検出値が設定値以上であると判定された場合に、取得した前記水温の検出値が設定値以上であるか否かを判定する第２判定手段と
を備え、
前記決定手段は、
前記第２判定手段により前記水温の検出値が前記設定値未満であると判定された場合に、前記情報に関連付けて排水工程を前記再開工程として決定し、
前記第２判定手段により前記水温の検出値が前記設定値以上であると判定された場合に、前記情報に関連付けて給水工程を前記再開工程として決定する請求項８に記載の食器洗浄機。
【請求項１０】
前記所定の工程は給水工程であり、
前記決定手段は、
前記第１判定手段により前記検出値が設定値未満であると判定された場合に、読み出した情報に係る給水工程の直前の排水工程を前記再開工程として決定し、
前記第１判定手段により前記検出値が設定値以上であると判定された場合に、読み出した情報に係る給水工程を前記再開工程として決定する請求項８に記載の食器洗浄機。
【発明の詳細な説明】
【技術分野】
【０００１】
本発明は、プログラムに基づき、給水、洗浄、排水等の一連の工程を行い、給電が停止して復帰した場合に、再開すべき工程以降の工程を実行する食器洗浄機に関する。
【背景技術】
【０００２】
給水、洗浄、排水等の一連の工程をプログラムによって制御する食器洗浄機においては、予め設定された工程順に動作させている。ところが、停電等により食器洗浄機への給電が遮断され、復帰した場合には、プログラムがリセットされ、主電源オン、水漏れ等の所定項目のみを検出する節電状態に戻り、最初からやり直さなければならないという問題があった。
このような問題を回避するために、特許文献１、特許文献２には、停電を検出した後、停電前の状態を不揮発性メモリに書き込み、停電が復帰した後、不揮発性メモリの内容を読み込んで、停電前の工程以降の工程を行う発明が開示されている。
また、特許文献３には、前述の開示技術に関連し、安定状態で完了した作業を記憶させ、停電が復帰した後、不揮発性メモリの内容を読み込んで、停電前の工程以降の工程を行う発明が開示されている。そして、一定間隔で温度データを記憶させ、該温度と停電が復帰した後の温度との差によりで停電時間を判定するように構成されている。
さらに、特許文献４には、経過時間の記憶を行い、停電が復帰した後、残りの運転時間に基づき、再開すべき工程以降を続行する発明が開示されている。
【特許文献１】特開平６−１８９８８６号公報
【特許文献２】特開２００４−３２９５４５号公報
【特許文献３】特開２００２−３３６１８０号公報
【特許文献４】特開平８−３０８７８２号公報
【発明の開示】
【発明が解決しようとする課題】
【０００３】
しかし、上述の特許文献においては、１回の洗浄シーケンス内で工程が変わる度に、又は一定間隔で、不揮発性メモリに記憶する必要があるため、不揮発性メモリが書き込み寿命に達した場合、読み出したデータが正常値でなくなり、復帰後の誤動作につながる可能性があるという問題があった。
また、夏場においては、停電時間の長さ等によって、洗浄漕内に溜まった水に雑菌が繁殖する可能性があり、停電直前の状態から再スタートすることが、必ずしも最適とは限らないという問題があった。
【０００４】
本発明は、上記問題点を鑑みてなされたものであり、所定の工程を特定する情報を記憶手段に記憶することにより、１回の洗浄シーケンスにおける記憶手段への書き込み回数を少なくすることが出来、記憶手段の書き込み寿命が短くなるのを抑制することが出来るので、正確な情報を読み出すことが出来、給電復帰後の誤動作が抑制される食器洗浄機を提供することを目的とする。
【０００５】
また、本発明は、待機状態に移行した場合において、所定時間が経過したと判定されたときに再開工程を開始することにより、電力オーバーによるブレーカー遮断により給電が停止し、復帰したときに即座に電力オーバーとならず、再度、ブレーカー遮断を引き起こすおそれがない食器洗浄機を提供することを目的とする。
【０００６】
そして、本発明は、給電が復帰した場合に、再開工程を開始するか、待機状態にしてユーザの指示を待つかを選択可能とすることにより、ユーザの使用性が良好である食器洗浄機を提供することを目的とする。
【０００７】
さらに、本発明は、再開工程を給水工程及び排水工程のうちのいずれにするかを選択可能とすることにより、ユーザの使用性が良好である食器洗浄機を提供することを目的とする。
【０００８】
また、本発明は、洗浄槽内の水の水位又は水温により、再開工程を給水工程及び排水工程のうちのいずれにするかが決定されるとすることにより、水及びエネルギーの無駄を抑えることが出来、雑菌の繁殖を抑制することが出来る再開工程から開始することが可能になる食器洗浄機を提供することを目的とする。
【課題を解決するための手段】
【０００９】
本発明に係る食器洗浄機は、給電されて、洗浄槽内へ給水する給水工程、給水された水を前記洗浄槽内の食器に噴射する工程、及び前記洗浄槽内の水を外部へ排出する排水工程を含む工程の実行を制御し、給電が停止した後、復帰した場合に、記憶手段に記憶された情報に基づき、再開すべき再開工程以降の工程を実行するか否かを判定して、前記工程を実行すると判定したときに、該工程を実行する制御手段を備える食器洗浄機において、前記記憶手段は、所定の工程が実行された場合に、該工程を特定するための情報を記憶し、前記制御手段は、給電が停止した後、復帰した場合に、前記記憶手段に記憶された前記情報を読み出す手段と、読み出した情報により前記再開工程以降の工程を実行すると判定した場合に、前記情報に基づき、前記再開工程を決定する決定手段と、該決定手段により決定された再開工程を開始する開始手段とを備えることを特徴とする。
【００１０】
本発明においては、所定の工程を特定するための情報を不揮発性記憶手段等の記憶手段に記憶するので、１回の洗浄シーケンスにおける記憶手段への書き込み回数を少なくすることが出来、記憶手段の書き込み寿命が短くなるのを抑制することが出来る。
従って、読み出した情報が正確でないために、復帰後の誤動作につながることが抑制される。
【００１１】
本発明に係る食器洗浄機は、前記開始手段により前記再開工程を開始する前に、開始の指示の取得を待つ待機状態を保持する待機保持手段を備え、前記開始手段は、開始の指示を取得した場合に再開工程を開始することを特徴とする。
【００１２】
本発明においては、再開工程を実行するための待機状態に移行して、例えば開始ボタンが押されるのを待つ状態になり、ユーザの判定により、再開工程の開始時期を決定することが可能になる。
【００１３】
本発明に係る食器洗浄機は、前記制御手段は、タイマーと、前記待機保持手段に移行した場合に、前記タイマーによる計時を開始する手段とを備え、前記開始手段は、前記タイマーが所定時間、計時した場合に、前記再開工程を開始することを特徴とする。
【００１４】
給電停止の原因として、落雷等による停電、食器洗浄機を接続してある家庭内のコンセントの容量オーバーによるブレーカー遮断（ヒータの通電時等における電力オーバーが想定される）等が挙げられる。本発明においては、電力オーバーによるブレーカー遮断により給電が停止し、復帰した場合に、再開工程のスタート動作に所定時間を置くことになるので、ブレーカーの復帰時に即座に電力オーバーとならず、再度、ブレーカー遮断を引き起こすおそれがない。
【００１５】
本発明に係る食器洗浄機は、給電が復帰した場合に、前記再開工程を開始するか、前記待機状態を保持するかを指定する情報が、予め記憶されるように構成されており、前記制御手段は、記憶された前記情報を読み出す手段と、読み出した情報により、前記待機状態を保持すると指定された場合に、該待機状態に移行する手段とを備え、前記開始手段は、読み出した情報により、前記再開工程を開始すると指定された場合に、前記再開工程を開始することを特徴とする。
【００１６】
本発明においては、給電が復帰した後の動作をユーザが選択することが出来るので、ユーザの使用性が良好である。例えば、ユーザの使用環境により、給電停止の原因として、電力オーバーによるブレーカー遮断がほとんどとなるが、ユーザは、給電が復帰した後に待機することにし、ブレーカーの復帰時に即座に動作を開始して電力オーバーとなるのを回避し、再度、ブレーカー遮断を引き起こすおそれがないように図ることが出来る。
【００１７】
本発明に係る食器洗浄機は、前記所定の工程は給水工程であり、前記決定手段は、読み出した情報に係る給水工程の直前の排水工程を前記再開工程として決定することを特徴とする。
【００１８】
排水工程と給水工程とは複数回、繰り返されるが、本発明においては、給水工程の通し番号等の特定情報を記憶手段に記憶させることで、どの段階の給水工程であるかを容易に把握することが出来、記憶手段における記憶量が少なくて済むとともに、この直前の工程である排水工程から再開するので、衛生面等で利便性が良好である。
【００１９】
本発明に係る食器洗浄機は、給電が復帰した場合に、給水工程及び排水工程のうちのいずれの工程を設定するかを指定する情報が、予め記憶されるように構成されており、前記制御手段は、記憶された前記情報を読み出す手段を備え、前記決定手段は、前記情報により指定された給水工程又は排水工程につき、前記記憶手段から読み出した情報に関連付けて、前記再開工程を決定することを特徴とする。
【００２０】
本発明においては、給電が復帰した後の再開工程を給水工程及び排水工程のうちのいずれにするかをユーザが選択することが出来るので、ユーザの使用性が良好である。
【００２１】
本発明に係る食器洗浄機は、前記所定の工程は給水工程であり、前記決定手段は、読み出した情報により、給水工程を設定すると指定された場合に、前記記憶手段から読み出した情報に係る給水工程を前記再開工程として決定し、読み出した情報により、排水工程を設定すると指定された場合に、前記記憶手段から読み出した情報に係る給水工程の直前の排水工程を前記再開工程として決定することを特徴とする。
【００２２】
本発明においては、給水工程の特定情報を記憶手段に記憶させるので、利便性が良好である。
【００２３】
本発明に係る食器洗浄機は、前記洗浄槽内の水の水位を検出する水位検出部を備え、前記制御手段は、前記水位検出部から水位の検出値を取得する手段と、取得した前記検出値が設定値以上であるか否かを判定する第１判定手段とを備え、前記決定手段は、前記第１判定手段により前記検出値が設定値未満であると判定された場合に、前記記憶手段から読み出した情報に関連付けて排水工程を前記再開工程として決定し、前記第１判定手段により前記検出値が設定値以上であると判定された場合に、前記記憶手段から読み出した情報に関連付けて給水工程を前記再開工程として決定することを特徴とする。
【００２４】
停電時間の長さによっては、洗浄水に雑菌が繁殖する場合がある。本発明においては、給電が復帰したときの水量により、給水工程及び排水工程のうちのいずれを再開工程にするかが決定されるので、水及びエネルギーの無駄を抑えることが出来、雑菌の繁殖を抑制することが出来る、好ましい再開工程から開始することが可能になる。
【００２５】
本発明に係る食器洗浄機は、前記洗浄槽内の水の水温を検出する水温検出部を備え、前記制御手段は、前記水温検出部から水温の検出値を取得する手段と、前記第１判定手段により前記検出値が設定値以上であると判定された場合に、取得した前記水温の検出値が設定値以上であるか否かを判定する第２判定手段とを備え、前記決定手段は、前記第２判定手段により前記水温の検出値が前記設定値未満であると判定された場合に、前記情報に関連付けて排水工程を前記再開工程として決定し、前記第２判定手段により前記水温の検出値が前記設定値以上であると判定された場合に、前記情報に関連付けて給水工程を前記再開工程として決定することを特徴とする。
【００２６】
本発明においては、給電が復帰したときの水温により、給水工程及び排水工程のうちのいずれを再開工程にするかが決定されるので、水及びエネルギーの無駄を抑えることが出来、雑菌の繁殖を抑制することが出来る、好ましい再開工程から開始することが可能になる。
そして、既存の水温検出部を判定に使用することが出来るので、新たなコストがかからない。
【００２７】
本発明に係る食器洗浄機は、前記所定の工程は給水工程であり、前記決定手段は、前記第１判定手段により前記検出値が設定値未満であると判定された場合に、読み出した情報に係る給水工程の直前の排水工程を前記再開工程として決定し、前記第１判定手段により前記検出値が設定値以上であると判定された場合に、読み出した情報に係る給水工程を前記再開工程として決定することを特徴とする。
【００２８】
本発明においては、給水工程の特定情報を記憶手段に記憶させるので、利便性が良好である。
【発明の効果】
【００２９】
本発明によれば、所定の工程を特定するための情報を記憶手段に記憶するので、１回の洗浄シーケンスにおける記憶手段への書き込み回数を少なくすることが出来、記憶手段の書き込み寿命が短くなるのを抑制することが出来るため、正確な情報を読み出すことが出来、給電復帰後の誤動作が抑制される。
【００３０】
また、本発明によれば、待機状態に移行した場合において、所定時間が経過したと判定されたときに再開工程を開始するので、電力オーバーによるブレーカー遮断により給電が停止し、復帰したときに、即座に電力オーバーとならず、再度、ブレーカー遮断を引き起こすおそれがない。
【００３１】
そして、本発明によれば、給電が復帰した後に、再開工程を開始するか、待機状態にしてユーザの指示を待つかを選択可能とするので、ユーザの使用性が良好である。
【００３２】
さらに、本発明によれば、給電が復帰した後の再開工程を給水工程及び排水工程のうちのいずれにするかを選択可能とするので、ユーザの使用性が良好である。
【００３３】
また、本発明によれば、洗浄水の水位又は水温により、再開工程を給水工程及び排水工程のうちのいずれにするかが決定されるので、水及びエネルギーの無駄を抑えることが出来、雑菌の繁殖を抑制することが出来る、好ましい再開工程から開始することが可能になる。
【発明を実施するための最良の形態】
【００３４】
以下、本発明をその実施の形態を示す図面に基づいて詳述する。
実施の形態１．
図１は、本発明の実施の形態に係る食器洗浄機を示す略示側断面図、図２は、食器洗浄機を示す略示上面断面図である。
【００３５】
図中、１は、流し台に設置される底板部１ｂ及び底板部１ｂに略平行な天板部１ａを備えた略直方体形状の筐体であり、筐体１は、略直方体の洗浄槽１０を内部に備えている。筐体１及び洗浄槽１０は、食器Ａを出し入れするための開口部を正面側に有している。また、筐体１は、正面側の下部に、主電源を入れるための主電源ボタン、食器Ａの洗浄を開始する開始ボタン、及び洗浄を中止する中止ボタンを含む入力部９１、及び図示しない表示部を備えている。
【００３６】
洗浄槽１０は、平面視で略矩形の底面部１０ａを有しており、底面部１０ａは、筐体１の底板部１ｂに対して略平行に配置されている。底面部１０ａの周縁部分には、背面壁１０ｃ、及び両側面壁１０ｅ，１０ｅが底面部１０ａに対して周設されており、背面壁１０ｃ及び両側面壁１０ｅ，１０ｅの上端部分には、底板部１ｂに略平行な天面部１０ｄが形成されている。背面壁１０ｃの略中心部には、外部から洗浄槽１０へ給水するための給水管６０が配設されており、給水管６０は給水管６０を開放又は閉塞する給水弁６１を備えている。
【００３７】
底面部１０ａの正面側右寄り部分には、洗浄槽１０の内部に給水された水を貯留する貯留部１１が凹設されている。底面部１０ａの正面側端部には、洗浄ノズル５１，５１より噴射された水を受けて貯留部１１に貯めるために必要な高さを有する正面壁１０ｂが底面部１０ａに対して立設されており、正面壁１０ｂの右寄り部分は、貯留部１１の正面部分と連続形成されている。
【００３８】
貯留部１１の後方、洗浄槽１０と筐体１との間には、貯留部１１に貯留している水を吸引し、吸引した水を洗浄ノズル５１，５１に加圧して送るポンプ５０が配置されている。洗浄ノズル５１，５１は、底面部１０ａの貯留部１１より後側に横方向に並設されている。
ポンプ５０の更に後方には、ポンプ５０に内設されたインペラを回転させるための正逆回転式のモータ５０ａが配置されている。ポンプ５０のケーシングには１つの吸込口と２つの吐出口とが形成されており、吐出口は洗浄吐出管と排水吐出管とに連結されており、２箇所の吐出口には、切換弁が配設されており（図示せず）、いずれか一方の吐出口のみが開く構造である。
【００３９】
インペラが正回転する場合、給水管６０から吸い込んだ水が、インペラの回転によるケーシング内流れの動圧で、切換弁に排水吐出口を閉鎖させ、洗浄吐出管へ圧送されて、洗浄ノズル５１，５１から、その上方へ収容された食器Ａへ噴射される。
インペラが逆回転する場合、貯留部１１内の水が、切換弁に洗浄吐出口を閉鎖させ、排水吐出管へ圧送されて、外部へ排水される。
【００４０】
洗浄槽１０の左側面壁１０ｅの正面寄り部分には、洗浄槽１０内を循環する水を加熱するヒータ８０，８０が中央側に向けて突設されている。ヒータ８０，８０は、ヒータカバー８１により覆われている。
【００４１】
底面部１０ａの横方向略中央部の正面寄り部分、つまり貯留部１１の外側であり、洗浄ノズル５１，５１から噴射された水を浴びるような部分には、水温を検出するサーミスタからなる水温検出部８２が配設されている。
【００４２】
洗浄槽１０の右側面外側、つまり洗浄槽１０と筐体１との隙間には、貯留部１１内の水位を検出する水位検出部７が貯留部１１に隣接配置されている。
図３は、水位検出部７を模式的に示す正面断面図である。水位検出部７は、洗浄槽１０の貯留部１１より外側に隣接配置されている略直方体の収容部７０、収容部７０に収容されている浮体７１、及び浮体７１の位置を検出する検出スイッチ７３から構成されている。浮体７１は、扁平なボトル状、即ち厚みが薄い直方体状部と該直方体状部の上面の略中心部から上側に突出した円柱状部とを有する。
【００４３】
収容部７０は、浮体７１が収容部７０内に遊嵌して、上下方向にのみ移動することができるような寸法及び形状を有する。収容部７０及び貯留部１１夫々の下側部分には、貯留部１１と収容部７０とを連通するための連通孔１１ａ，７０ａが形成され、連通孔１１ａ，７０ａは溶着されている。また、収容部７０の上端部には、貯留部１１の水位に応じて収容部７０の水位が変化するようにエア抜き用の孔が設けられている。
【００４４】
浮体７１の上端部には磁石７２が設けられており、食器洗浄に必要な水量、つまり洗浄中の貯留部１１の水位がポンプ５０に連結されているパイプの口の上端より高くなるような水量の水を貯留部１１が貯留している場合、浮体７１の磁石７２が近接してオンの状態となる検出スイッチ７３が、収容部７０の内側に配設されている。
検出スイッチ７３のオン／オフ状態は、洗浄槽１０の下方、洗浄槽１０と筐体１との間に配置されている制御部により検出されるように構成されている。
【００４５】
また、食器洗浄機は、洗浄槽１０及び筐体１の開口部を閉塞するための扉体２を備えており、扉体２は、支持アーム３により、洗浄槽１０に対して上下回動可能に支持されている。
【００４６】
図４は、食器洗浄機の構成を示すブロック図である。
制御部９０は電源１００から電力を供給され、入力部９１、検出スイッチ７３及び水温検出部８２から出力された信号が入力される入力ポート９０ｅと、モータ５０ａを駆動するための制御信号をモータ駆動部５０ｂへ出力し、給水弁６１、ヒータ８０及び表示部１０１へ信号を出力するための出力ポート９０ｆとを備える。また、制御部９０は、入力部９１、検出スイッチ７３、水温検出部８２から出力された信号に応じて、制御信号を出力ポート９０ｆからモータ駆動部５０ｂへ出力するためのプログラムを記憶しているＲＯＭ９０ｂ、一時的記憶用のＲＡＭ９０ｃ、後述する情報を記憶する不揮発性メモリ９０ｄ及びタイマー９０ｈを備えており、ＣＰＵ９０ａには、ＲＯＭ９０ｂ、ＲＡＭ９０ｃ、不揮発性メモリ９０ｄ、入力ポート９０ｅ、出力ポート９０ｆ、及びタイマー９０ｈがバス９０ｇを介して接続されている。また、給水弁６１の開閉、ヒータ８０，８０による水の加熱、及び表示部１０１のおける表示は、出力ポート９０ｆを介して制御部９０により制御される。
モータ駆動部５０ｂは、制御部９０から出力される制御信号に応じてモータ５０ａを駆動し、ポンプ５０を動作させる。
【００４７】
洗浄シーケンスにおける一連の工程を下記の表１に示す。制御部９０により、洗浄シーケンスが動作されると、工程番号１の初期排水工程から開始され、給水工程、噴射工程、及び排水工程が複数回繰り返され（この場合は４回、）最終的に、乾燥工程が行われて、終了する。
不揮発性メモリ９０ｄは、表１の各給水工程に移行する毎に、その給水工程の工程番号Ｍを記憶する。
【００４８】
【表１】
2007301096.tif 000003
【００４９】
図５は、給電が停止し、復帰した場合のＣＰＵ９０ａの処理手順を示すフローチャートである。ＣＰＵ９０ａは、給電が停止した時点、又は直前の給水工程の前記工程番号Ｍを不揮発性メモリ９０ｄから読み出す（ステップＳ１）。
次に、読み出した工程番号Ｍが０であるか否かを判定する（ステップＳ２）。
【００５０】
読み出した工程番号Ｍが０でないと判定した場合（ステップＳ２：ＮＯ）、（Ｍ−１）を再開工程の工程番号Ｎとして設定し（ステップＳ３）、ステップＳ８へ処理を進める。給水工程において、工程番号Ｍ、すなわち、上記表１の２、５、８、１１のうちのいずれかの番号が不揮発性メモリ９０ｄに記憶されているので、（Ｍ−１）が工程番号Ｎとして設定されることで、その給水工程の直前の排水工程、すなわち、上記表１の１、４、７、１０のうちの対応する番号に係る排水工程が再開工程として設定される。
【００５１】
読み出した工程番号Ｍが０であると判定した場合（ステップＳ２：ＹＥＳ）、未記憶として、節電状態（主電源オン、水漏れ等の所定の項目のみを検出する状態）に移行する（ステップＳ４）。
そして、入力部９１の主電源ボタンが押され、オンである状態か否かを判定する（ステップＳ５）。
【００５２】
主電源がオンである場合（ステップＳ５：ＹＥＳ）、入力部９１の開始ボタンが押されて、開始の指示を取得したか否かを判定する（ステップＳ６）。
開始の指示を取得したと判定した場合（ステップＳ６：ＹＥＳ）、工程番号Ｎを１とする（ステップＳ７）。
【００５３】
そして、第Ｎ工程を実行する（ステップＳ８）。次に、Ｎが１４であるか否かを判定する（ステップＳ９）。Ｎが１４であると判定した場合（ステップＳ９：ＹＥＳ）、表１の１４番目の乾燥工程が終了したことになるので、処理を終了する。Ｎが１４でないと判定した場合（ステップＳ９：ＮＯ）、Ｎ＋１を工程番号Ｎとし（ステップＳ１０）、処理をステップＳ８へ戻す。
【００５４】
図６は、給水工程に係るＣＰＵ９０ａの処理手順を示すフローチャートである。ＣＰＵ９０ａは、給水に係るサブルーチンを呼び出し、現在の給水工程の工程番号Ｍを不揮発性メモリ９０ｄに記憶済みであるか否かを判定する（ステップＳ１１）。
工程番号Ｍが記憶されていないと判定した場合（ステップＳ１１：ＮＯ）、現在の給水工程の工程番号Ｍを記憶させる（ステップＳ１２）。
工程番号が記憶済みであると判定した場合（ステップＳ１１：ＹＥＳ）、給水弁６１を解放して、給水を開始する（ステップＳ１３）。
【００５５】
次に、目標水位に到達したか否かを判定する（ステップＳ１４）。目標水位に到達したと判定した場合（ステップＳ１４：ＹＥＳ）、給水弁６１を閉塞して、給水を停止する（ステップＳ１５）。そして、工程番号（Ｍ＋１）を工程番号Ｎとして設定し（ステップＳ１６）、給水に係るサブルーチンを終了し、次工程へ進む。
【００５６】
本実施の形態においては、給水工程の工程番号Ｍのみを不揮発性メモリ９０ｄに記憶させるので、１回の洗浄シーケンスにおける不揮発性メモリ９０ｄへの書き込み回数を少なくすることが出来、不揮発性メモリ９０ｄの書き込み寿命が短くなるのが抑制される。従って、読み出した情報が正確でないために、復帰後の誤動作につながることが抑制される。
なお、本実施の形態においては、不揮発性メモリ９０ｄに給水工程の工程番号を記憶する場合につき説明しているがこれに限定されるものではなく、排水工程等の他の工程の番号を記憶することにしてもよい。また、不揮発性メモリ９０ｄに記憶するのは、工程の通し番号に限定されるものではなく、他のコードでもよい。
【００５７】
実施の形態２．
図７は、給電が停止し、復帰した場合の本発明の実施の形態２に係る、ＣＰＵ９０ａの処理手順を示すフローチャートである。実施の形態２に係る食器洗浄機の図７に係る処理以外の構成は、実施の形態１に係る食器洗浄機の構成と同様である。
ＣＰＵ９０ａは、給電が停止した時点、又は直前の給水工程の工程番号Ｍを不揮発性メモリ９０ｄから読み出す（ステップＳ２１）。
次に、読み出した工程番号Ｍが０であるか否かを判定する（ステップＳ２２）。
【００５８】
読み出した工程番号Ｍが０でないと判定した場合（ステップＳ２２：ＮＯ）、（Ｍ−１）を再開工程の工程番号Ｎとして決定する（ステップＳ２３）。給水工程において、工程番号Ｍ、すなわち、上記表１の２、５、８、１１のうちのいずれかの番号が不揮発性メモリ９０ｄに記憶されているので、（Ｍ−１）が工程番号Ｎとして設定されることで、その給水工程の直前の排水工程、すなわち、上記表１の１、４、７、１０のうちの対応する番号に係る排水工程が再開工程として設定される。
そして、この排水工程を実行するための待機状態に移行し（ステップＳ２４）、待機状態が保持される。待機状態において、ユーザが入力部９１の開始ボタンを押すこと等により、開始の指示を取得したか否かを判定する（ステップＳ２５）。開始の指示を取得したと判定した場合（ステップＳ２５：ＹＥＳ）、処理をステップＳ３０へ進め、再開工程に係る排水工程が開始され、後の処理が続行される。
【００５９】
読み出した工程番号Ｍが０であると判定した場合（ステップＳ２２：ＹＥＳ）、未記憶として、節電状態に移行する（ステップＳ２６）。
そして、入力部９１の主電源ボタンが押され、オンである状態か否かを判定する（ステップＳ２７）。
【００６０】
主電源がオンである場合（ステップＳ２７：ＹＥＳ）、入力部９１の開始ボタンが押されて、開始の指示を取得したか否かを判定する（ステップＳ２８）。
開始の指示を取得したと判定した場合（ステップＳ２８：ＹＥＳ）、工程番号Ｎを１とする（ステップＳ２９）。
そして、第Ｎ工程を実行する（ステップＳ３０）。Ｎが１４であるか否かを判定する（ステップＳ３１）。Ｎが１４であると判定した場合（ステップＳ３１：ＹＥＳ）、表１の１４番目の乾燥工程が終了したことになるので、処理を終了する。Ｎが１４でないと判定した場合（ステップＳ３１：ＮＯ）、Ｎ＋１をＮとし（ステップＳ３２）、処理をステップＳ３０へ戻す。
【００６１】
本実施の形態においては、再開工程が決定された場合、直ちに再開工程を実行せず、待機状態に移行して、例えば開始ボタン等の入力待ちの状態になるので、ユーザの判定により、再開工程の開始時期を決定することが可能になる。
【００６２】
実施の形態３．
図８は、給電が停止し、復帰した場合の本発明の実施の形態３に係る、ＣＰＵ９０ａの処理手順を示すフローチャートである。実施の形態３に係る食器洗浄機の図８に係る処理以外の構成は、実施の形態１に係る食器洗浄機の構成と同様である。
ＣＰＵ９０ａは、給電が停止した時点の直前の給水工程の工程番号Ｍを不揮発性メモリ９０ｄから読み出す（ステップＳ４１）。
次に、読み出した工程番号が０であるか否かを判定する（ステップＳ４２）。
読み出した工程番号が０であると判定した場合（ステップＳ４２：ＹＥＳ）、未記憶として、図５のステップＳ４へ処理を進める。
【００６３】
読み出した工程番号Ｍが０でないと判定した場合（ステップＳ４２：ＮＯ）、Ｍ−１を再開工程の工程番号Ｎとして設定する（ステップＳ４３）。工程番号（Ｍ−１）が工程番号Ｎとして設定されることで、この給水工程の直前の排水工程が再開工程として設定される。そして、この排水工程を実行するための待機状態に移行（ステップＳ４４）する。
【００６４】
このときに、タイマー９０ｈが計時を開始し（ステップＳ４５）、設定時間（例えば１０秒）経過したか否かを判定する（ステップＳ４６）。設定時間が経過した場合（ステップＳ４６：ＹＥＳ）、図５のステップＳ８へ処理を進め、再開工程に係る排水工程を実行し、以降の工程を続行する。
【００６５】
給電停止の原因として、落雷等による停電、食器洗浄機を接続してある家庭内のコンセントの容量オーバーによるブレーカー遮断（ヒータ８０，８０の通電時等における電力オーバーが多い）等が挙げられる。
本実施の形態においては、電力オーバーによるブレーカー遮断により給電が停止し、給電が復帰した場合に、再開工程の開始まで１０秒待つことになるので、ブレーカーの復帰時に即座に電力オーバーとならず、再度、ブレーカー遮断を引き起こすおそれがない。
【００６６】
実施の形態４．
図９は、給電が停止し、復帰した場合の本発明の実施の形態４に係る、ＣＰＵ９０ａの処理手順を示すフローチャートである。実施の形態４に係る食器洗浄機の図９に係る処理以外の構成は、実施の形態１に係る食器洗浄機の構成と同様である。
本実施の形態においては、予め、給電が復帰した場合に、設定された再開工程を自動的に開始するか、再開工程を実行するための待機状態を保持するかを判定する開始判定値が、入力部９１におけるユーザのキー操作（例えば、いずれかのキーの組み合わせ、又は１つのキーを一定時間押し続ける等）により設定され、不揮発性メモリ９０ｄに、記憶されている。例えば開始判定値が０である場合、再開工程を実行するための待機状態を保持すると判定され、開始判定値が１である場合、設定された再開工程を開始すると判定される。
【００６７】
ＣＰＵ９０ａは、給電復帰後、不揮発性メモリ９０ｄより開始判定値を不揮発性メモリ９０ｄから読み出し（ステップＳ５１）、給電が停止した時点、又は直前の給水工程の工程番号Ｍを不揮発性メモリ９０ｄから読み出す（ステップＳ５２）。
次に、読み出した工程番号Ｍが０であるか否かを判定する（ステップＳ５３）。
読み出した工程番号が０であると判定した場合（ステップＳ５３：ＹＥＳ）、未記憶として、図５のステップＳ４へ処理を進め、節電状態に移行する。
【００６８】
読み出した工程番号Ｍが０でないと判定した場合（ステップＳ５３：ＮＯ）、Ｍ−１を再開工程の工程番号Ｎとして設定する（ステップＳ５４）。Ｍ−１が工程番号Ｎとして設定されることで、この給水工程の直前の排水工程が再開工程として設定される。
【００６９】
次に、開始判定値が０であるか否かを判定する（ステップＳ５５）。
開始判定値が０である場合（ステップＳ５５：ＹＥＳ）、再開工程を実行するための待機状態を保持すると判定されるので、図７のステップＳ２４へ処理を進め、前記排水工程を実行するための待機状態に移行し、この待機状態を保持する。ユーザが入力部９１における開始ボタンを押すこと等により再開工程が実行される。
開始判定値が０でない、すなわち１である場合（ステップＳ５５：ＮＯ）、設定された再開工程を開始すると判定されるので、図５のステップＳ８へ処理を進め、再開工程に係る排水工程を実行し、以降の工程を続行する。
【００７０】
本実施の形態においては、給電が復帰した後の動作をユーザが選択することが出来るので、ユーザの使用性が良好である。例えば、ユーザの使用環境により、給電停止の原因としては、電力オーバーによるブレーカー遮断がほとんどとなるが、ユーザは、給電が復帰した後に自動的に排水工程を開始せず、待機することにし、ブレーカーの復帰時に即座に電力オーバーとならず、再度、ブレーカー遮断を引き起こすおそれがないように図ることが出来る。
なお、本実施の形態においては、開始判定値が０である場合、再開工程を実行するための待機状態を保持すると判定され、開始判定値が１である場合、設定された再開工程を自動的に実行すると判定される場合につき説明しているが、開始判定値の数値はこれに限定されるものではない。
【００７１】
実施の形態５．
図１０は、給電が停止し、復帰した場合の本発明の実施の形態５に係る、ＣＰＵ９０ａの処理手順を示すフローチャートである。実施の形態５に係る食器洗浄機の図１０に係る処理以外の構成は、実施の形態１に係る食器洗浄機の構成と同様である。
本実施の形態においては、予め、給電が復帰した場合に、再開工程として、給電停止時の直前の給水工程及び排水工程のうちのいずれの工程を設定するかを判定する工程判定値が、入力部９１におけるユーザのキー操作（例えば、いずれかのキーの組み合わせ、又は１つのキーを一定時間押し続ける等）により設定され、不揮発性メモリ９０ｄに記憶されている。例えば工程判定値が０である場合、直前の排水工程を設定すると判定され、工程判定値が１である場合、直前の給水工程を設定すると判定される。
【００７２】
ＣＰＵ９０ａは、給電復帰後、不揮発性メモリ９０ｄより工程判定値を不揮発性メモリ９０ｄから読み出し（ステップＳ６１）、給電が停止した時点の直前の給水工程の工程番号Ｍを不揮発性メモリ９０ｄから読み出す（ステップＳ６２）。
次に、読み出した工程番号Ｍが０であるか否かを判定する（ステップＳ６３）。
読み出した工程番号Ｍが０であると判定した場合（ステップＳ６３：ＹＥＳ）、未記憶として、図５のステップＳ４へ処理を進め、節電状態に移行する。
【００７３】
読み出した工程番号Ｍが０でないと判定した場合（ステップＳ６３：ＮＯ）、工程判定値が０であるか否かを判定する（ステップＳ６４）。
工程判定値が０である場合（ステップＳ６４：ＹＥＳ）、直前の排水工程を設定すると判定されるので、Ｍ−１を再開工程の工程番号Ｎとして設定する（ステップＳ６５）。そして、図５のステップＳ８へ処理を進め、該排水工程が実行される。
工程判定値が０でない、すなわち１である場合（ステップＳ６４：ＮＯ）、直前の給水工程を設定すると判定されるので、前記給水工程の工程番号Ｍが再開工程の工程番号Ｎとして設定され（ステップＳ６６）。そして、図５のステップＳ８へ処理を進め、該給水工程が実行される。
【００７４】
本実施の形態においては、給電が復帰した後の再開工程を給水工程及び排水工程のうちのいずれにするかをユーザが選択することが出来るので、ユーザの使用性が良好である。ユーザは、例えば水及びエネルギーの無駄を抑制するために、給水工程から開始することを選択することが出来る。
なお、本実施の形態においては、工程判定値が０である場合、直前の排水工程を設定すると判定され、工程判定値が１である場合、直前の給水工程を設定すると判定される場合につき説明しているが、工程判定値の数値はこれに限定されるものではない。
また、予め、工程判定値を設定する場合につき説明しているが、これに限定されるものではなく、給電復帰時に、ユーザによって工程判定値を設定することにしてもよい。
【００７５】
実施の形態６．
図１１は、給電が停止し、復帰した場合の本発明の実施の形態６に係る、ＣＰＵ９０ａの処理手順を示すフローチャートである。実施の形態６に係る食器洗浄機の図１１に係る処理以外の構成は、実施の形態１に係る食器洗浄機の構成と同様である。
ＣＰＵ９０ａは、給電復帰後、不揮発性メモリ９０ｄより給電が停止した時点の直前の給水工程の工程番号Ｍを不揮発性メモリ９０ｄから読み出す（ステップＳ７１）。
次に、読み出した工程番号Ｍが０であるか否かを判定する（ステップＳ７２）。
読み出した工程番号Ｍが０であると判定した場合（ステップＳ７２：ＹＥＳ）、未記憶として、図５のステップＳ４へ処理を進め、節電状態に移行する。
【００７６】
読み出した工程番号Ｍが０でないと判定した場合（ステップＳ７２：ＮＯ）、水位検出部７から水位検出値を取得する（ステップＳ７３）。
そして、水位検出値が設定値以上であるか否かを判定する（ステップＳ７４）。
水位検出値が設定値未満であると判定した場合（ステップＳ７４：ＮＯ）、Ｍ−１、すなわち直前の排水工程の工程番号を再開工程の工程番号Ｎとして設定する（ステップＳ７５）。
水位検出値が設定値以上であると判定した場合（ステップＳ７４：ＹＥＳ）、読み出した工程番号Ｍ、すなわち直前の給水工程の工程番号を再開工程の工程番号Ｎとして設定する（ステップＳ７６）。
【００７７】
そして、再開工程が設定された後、図５のステップＳ８へ処理を進め、設定された工程番号に係る再開工程が実行される。ステップＳ７５において排水工程の工程番号が設定された場合、該排水工程が実行され、ステップＳ７６において給水工程の工程番号が設定された場合、該給水工程が実行される。
【００７８】
停電時間の長さによっては、洗浄水に雑菌が繁殖する場合がある。水位検出値が設定値未満である場合、給水の途中で停電し、又は長時間の停電により貯留部１１内の洗浄水が蒸発したと考えられる。本実施の形態においては、給電が復帰したときの水量により、給水工程及び排水工程のうちのいずれを再開工程にするかが決定される。すなわち、貯留部１１内の水量が設定値未満である場合、停電が長時間に及んでいる可能性もあって、雑菌が繁殖しているおそれがあり、排水工程から再開するように設定され、貯留部１１内の水量が設定値以上である場合、雑菌が繁殖している可能性も少なく、水及びエネルギーの無駄を抑えるために給水工程から再開するように設定され、良好な再開工程から開始され得る。
そして、既存の水位検出部７を判定に使用することが出来るので、新たなコストがかからない。
【００７９】
実施の形態７．
図１２は、給電が停止し、復帰した場合の本発明の実施の形態７に係る、ＣＰＵ９０ａの処理手順を示すフローチャートである。実施の形態７に係る食器洗浄機の図１２に係る処理以外の構成は、実施の形態１に係る食器洗浄機の構成と同様である。
ＣＰＵ９０ａは、給電復帰後、不揮発性メモリ９０ｄより給電が停止した時点、又は直前の給水工程の工程番号Ｍを不揮発性メモリ９０ｄから読み出す（ステップＳ８１）。
次に、読み出した工程番号Ｍが０であるか否かを判定する（ステップＳ８２）。
読み出した工程番号Ｍが０であると判定した場合（ステップＳ８２：ＹＥＳ）、未記憶として、図５のステップＳ４へ処理を進め、節電状態に移行する。
【００８０】
読み出した工程番号Ｍが０でないと判定した場合（ステップＳ８２：ＮＯ）、水位検出部７から水位検出値を取得する（ステップＳ８３）。
そして、水位検出値が設定値以上であるか否かを判定する（ステップＳ８４）。
水位検出値が設定値未満であると判定した場合（ステップＳ８４：ＮＯ）、Ｍ−１、すなわち直前の排水工程を再開工程の工程番号Ｎとして設定する（ステップＳ８７）。
水位検出値が設定値以上であると判定した場合（ステップＳ８４：ＹＥＳ）、水温検出部８２から水温検出値を取得する（ステップＳ８５）。そして、取得した水温検出値が４０℃以上であるか否かを判定する（ステップＳ８６）。
水温検出値が４０℃未満である場合（ステップＳ８６：ＮＯ）、処理をステップＳ８７へ進める。
水温検出値が４０℃以上である場合（ステップＳ８６：ＹＥＳ）、読み出した工程番号Ｍ、すなわち直前の給水工程の番号を再開工程の工程番号Ｎとして設定する（ステップＳ８８）。
【００８１】
再開工程が設定された後、図５のステップＳ８へ処理を進め、設定された工程番号に係る再開工程が実行される。ステップＳ８７において排水工程の工程番号が設定された場合、該排水工程が実行され、ステップＳ８８において給水工程の工程番号が設定された場合、該給水工程が実行される。
【００８２】
本実施の形態においては、給電が復帰したときの水温により、給水工程及び排水工程のうちのいずれを再開工程にするかが決定される。すなわち、貯留部１１内の水位が設定以上であっても、水温が４０℃未満である場合、停電が長時間に及び、雑菌が繁殖しているおそれがあり、排水工程から再開するように設定され、貯留部１１内の水温が４０℃以上である場合、短時間の停電と考えられ、雑菌の繁殖の可能性も少ないと考えられるので、水及びエネルギーの無駄も抑えるために給水工程から再開するように設定され、良好な再開工程から開始され得る。
そして、既存の水温検出部８２を判定に使用することが出来るので、新たなコストがかからない。
なお、本実施の形態においては、ステップＳ８６において、水温が４０℃以上であるか否か判定する場合につき説明しているがこれに限定されるものではない。
【図面の簡単な説明】
【００８３】
【図１】本発明の実施の形態に係る食器洗浄機を示す略示側断面図である。
【図２】本実施の形態に係る食器洗浄機を示す略示上面断面図である。
【図３】水位検出部を模式的に示す正面断面図である。
【図４】食器洗浄機の構成を示すブロック図である。
【図５】給電が停止し、復帰した場合のＣＰＵの処理手順を示すフローチャートである。
【図６】給水工程に係るＣＰＵの処理手順を示すフローチャートである。
【図７】給電が停止し、復帰した場合の本発明の実施の形態２に係る、ＣＰＵの処理手順を示すフローチャートである。
【図８】給電が停止し、復帰した場合の本発明の実施の形態３に係る、ＣＰＵの処理手順を示すフローチャートである。
【図９】給電が停止し、復帰した場合の本発明の実施の形態４に係る、ＣＰＵの処理手順を示すフローチャートである。
【図１０】給電が停止し、復帰した場合の本発明の実施の形態５に係る、ＣＰＵの処理手順を示すフローチャートである。
【図１１】給電が停止し、復帰した場合の本発明の実施の形態６に係る、ＣＰＵの処理手順を示すフローチャートである。
【図１２】給電が停止し、復帰した場合の本発明の実施の形態７に係る、ＣＰＵの処理手順を示すフローチャートである。
【符号の説明】
【００８４】
１  筐体
２  扉体
３  支持アーム
７  水位検出部
１０  洗浄槽
１０ａ  底面部
１０ｂ  正面壁
１０ｃ  背面壁
１０ｄ  天面部
１０ｅ  側面壁
１１  貯留部
５０  ポンプ
５０ａ  モータ
５０ｂ  モータ駆動部
５１  洗浄ノズル
６０  給水管
６１  給水弁
７０  収容部
７１  浮体
７３  検出スイッチ
８０  ヒータ
８２  水温検出部
９０  制御部
９０ａ  ＣＰＵ
９０ｂ  ＲＯＭ
９０ｃ  ＲＡＭ
９０ｄ  不揮発性メモリ
９０ｅ  入力ポート
９０ｆ  出力ポート
９０ｇ  バス
９０ｈ  タイマー
９１  入力部
【図１】
2007301096.tif 000004
【図２】
2007301096.tif 000005
【図３】
2007301096.tif 000006
【図４】
2007301096.tif 000007
【図５】
2007301096.tif 000008
【図６】
2007301096.tif 000009
【図７】
2007301096.tif 000010
【図８】
2007301096.tif 000011
【図９】
2007301096.tif 000012
【図１０】
2007301096.tif 000013
【図１１】
2007301096.tif 000014
【図１２】
2007301096.tif 000015